(57)【特許請求の範囲】
【請求項１】
用紙を搬送し排出するための第１排出ローラと、
前記第１排出ローラによる用紙の排出方向からシフトした位置に前記用紙をスタックする用紙収容ポケットと、
前記第１排出ローラによる用紙の排出方向に対して傾斜し、前記用紙を前記用紙収容ポケットに向けて案内する第１位置と、前記用紙を前記用紙収容ポケットに向けて付勢する第２位置とに変位可能な第１ガイド部材と、
前記第１排出ローラに対向配置された第１押付部材であって、前記用紙を前記第１排出ローラに押し付け可能な押付位置と、前記第１排出ローラから離れた退避位置とに変位可能な第１押付部材と、
前記第１押付部材が前記押付位置にあるとき、前記第１ガイド部材を前記第１位置に位置させ、前記第１押付部材が前記退避位置にあるとき、前記第１ガイド部材を前記第２位置に位置させるリンク機構と
を有することを特徴とする用紙収容装置。
【請求項２】
用紙を搬送し排出するための第１排出ローラと、
前記第１排出ローラによる用紙の排出方向からシフトした位置に前記用紙をスタックする用紙収容ポケットと、
前記第１排出ローラによる用紙の排出方向に対して傾斜し、前記用紙を前記用紙収容ポケットに向けて案内する第１ガイド部材と、
前記第１排出ローラと前記第１ガイド部材との間に位置する第２ガイド部材であって、前記第１排出ローラによる前記排出方向と交差する第３位置と、前記排出方向から前記用紙収容ポケットが位置する側とは反対側に退避した第４位置とに変位可能で、前記第３位置にあるときは、排出された前記用紙を前記用紙収容ポケットに向けて付勢する第２ガイド部材と、
前記第１排出ローラに対向配置された第１押付部材であって、前記用紙を前記第１排出ローラに押し付け可能な押付位置と、前記第１排出ローラから離れた退避位置とに変位可能な第１押付部材と、
前記第１押付部材が前記押付位置にあるとき、前記第２ガイド部材を前記第３位置に位置させ、前記第１押付部材が前記退避位置にあるとき、前記第２ガイド部材を前記第４位置に位置させるリンク機構とを有することを特徴とする用紙収容装置。
【請求項３】
用紙を搬送し排出するための第１排出ローラと、
前記第１排出ローラによる用紙の排出方向からシフトした位置に前記用紙をスタックする用紙収容ポケットと、
前記第１排出ローラによる用紙の排出方向に対して傾斜し、前記用紙を前記用紙収容ポケットに向けて案内する第１位置と、前記用紙を前記用紙収容ポケットに向けて付勢する第２位置とに変位可能な第１ガイド部材と、
前記第１排出ローラと前記第１ガイド部材との間に位置する第２ガイド部材であって、前記第１排出ローラによる前記排出方向と交差する第３位置と、前記排出方向から前記用紙収容ポケットが位置する側とは反対側に退避した第４位置とに変位可能で、前記第３位置にあるときは、排出された前記用紙を前記用紙収容ポケットに向けて付勢する第２ガイド部材と、
前記第１排出ローラに対向配置された第１押付部材であって、前記用紙を前記第１排出ローラに押し付け可能な押付位置と、前記第１排出ローラから離れた退避位置とに変位可能な第１押付部材と、
前記第１押付部材が前記押付位置にあるとき、前記第１ガイド部材を前記第１位置に、前記第２ガイド部材を前記第３位置に位置させ、前記第１押付部材が前記退避位置にあるとき、前記第１ガイド部材を前記第２位置に、前記第２ガイド部材を前記第４位置に位置させるリンク機構と
を有することを特徴とする用紙収容装置。
【請求項４】
請求項３において、
前記第１ガイド部材を前記第２位置に向けて付勢する第１付勢部材と、
前記第２ガイド部材を前記第３位置に向けて付勢する第２付勢部材と、
前記第１ガイド部材に当接する第１アームと、前記第２ガイド部材に当接する第２アームと、第１、第２アームの間に設けられた回動中心とを有する第１レバー部材とを有し、
前記第１レバー部材の第１方向への回動に伴って、前記第１ガイド部材は前記第１位置に、前記第２ガイド部材は前記第３位置に位置し、
前記第１レバー部材の第１方向と反対の第２方向への回動に伴って、前記第１ガイド部材は前記第２位置に、前記第２ガイド部材は前記第４位置に位置することを特徴とする用紙収容装置。
【請求項５】
請求項４において、
前記第１レバー部材の前記第２アームに当接する第３アームと、アクチュエータに連結される第４アームと、第３、第４アームの間に設けられた回動中心とを有する第２レバー部材を有し、
前記第１押付部材は前記第３アームに支持され、前記アクチュエータの操作に応じて、(ｉ)前記第２レバーが第３方向に回動することにより、前記第１押付部材が前記押付位置に位置すると共に、前記第１レバー部材を前記第１方向に回動させ、
(ii)前記第２レバーが前記第３方向と反対の第４方向に回動することにより、前記第１押付部材が前記退避位置に位置すると共に、前記第１レバー部材を前記第２方向に回動させることを特徴とする用紙収容装置。
【請求項６】
請求項１〜３の何れかにおいて、
前記第１排出ローラの下流側に配置された第２排出ローラであって、その外周に複数の突起を備えた第２排出ローラと、
前記第２排出ローラに対向する、離間した一対の押え壁が突設されてなる用紙押え部と
を有し、
前記一対の押え壁の間に第２排出ローラのリブ突起が入り込むようになっている
ことを特徴とする用紙収容装置。
【請求項７】
請求項４において、
前記第１排出ローラの下流側に配置された第２排出ローラであって、その外周に複数の突起を備えた第２排出ローラと、
前記第１レバー部材の前記第２アームに設けられた第２押付部材であって、前記第１レバー部材の前記第１方向への回動により、前記第２排出ローラに対向配置される第２押付部材とを更に有することを特徴とする用紙収容装置。
【請求項８】
請求項７において、
前記第２押付部材は、前記第２排出ローラに対向配置されたとき、前記第２排出ローラの突起の両側部と重なるように形成された鍔部を有することを特徴とする用紙収容装置。
【請求項９】
請求項１または３において、
前記用紙収容ポケットは、
前記用紙の排出方向に略平行であって、互いに対向する第１、第２の側壁と、
前記第１、第２の側壁を結合する底壁と、
前記第１、第２の側壁の間に設けられた用紙支持部材であって、前記排出ローラ側に位置する第２側壁の側に付勢された用紙支持部材とを有し、
前記用紙収容ポケットにスタックされた前記用紙は、前記用紙支持部材と、前記第２側壁および前記第２位置に位置する前記第１ガイド部材とにより挟持されることを特徴とする用紙収容装置。
【請求項１０】
請求項３に記載の用紙収容装置を備えた用紙処理装置であって、
第１用紙を搬送するための第１搬送路と、
第２用紙を搬送するための第２搬送路と、
前記第２搬送路に沿って当該第２搬送路内に第２用紙を挿入可能な開口とを有し、
前記第１排出ローラは、前記第１搬送路に沿って配置され、前記第１搬送路を搬送される前記第１用紙を排出し、
前記第１搬送路と前記第２搬送路とは、前記第１排出ローラの近傍で、それらの一部が略垂直に重なり合い、
前記第２用紙の前記開口からの挿入時には、前記第１押付部材を前記退避位置に位置させて、前記リンク機構により、前記第１ガイド部材を前記第２位置に、前記第２ガイド部材を前記第４位置に位置させることにより、前記第２用紙の挿入を阻害しないことを特徴とする用紙処理装置。
【請求項１１】
請求項５記載の用紙収容装置を備えた用紙処理装置であって、
前記第１排出ローラ、前記第１押付部材、前記第２レバー、前記アクチュエータは前記用紙処理装置本体側に設けられ、
前記用紙収容ポケット、前記第１、第２ガイド部材、前記第１レバー部材を有する用紙収容ユニットが、前記用紙処理装置に着脱自在に取り付けられていることを特徴とする用紙処理装置。
【請求項１２】
請求項１〜３の何れかに記載の用紙収容装置を備えた用紙処理装置であって、
前記第１排出ローラは前記用紙処理装置本体側に設けられ、
前記用紙収容ポケットを有する用紙収容ユニットが、前記用紙処理装置に着脱自在に取り付けられていることを特徴とする用紙処理装置。
【発明の詳細な説明】
【技術分野】
【０００１】
本発明は、例えば、用紙類のデータを読み取る、及び／又は、用紙類にデータを書き込む等、用紙類を取り扱う処理装置において、処理された用紙類を集積するために処理装置の排出部に設けられる用紙収容装置及び当該用紙収容装置を備えた用紙処理装置に関する。
【背景技術】
【０００２】
プリンタなどの用紙処理装置における用紙排出部には、処理した用紙を集積するための排紙トレーが設けられており、略水平姿勢で排出された用紙が順次積み重ねられるようになっている。
【０００３】
ところで、例えば小切手のように、こしの強い用紙を処理する用紙処理装置には、用紙を略垂直に立てた姿勢で搬送しながら各種処理を行うものがある。
【０００４】
略垂直に立った姿勢で排出される用紙を順番にスタックしながら収容する用紙収容装置としては、一般的には、図１７に示すような構造が考えられる。用紙収容装置１００は、排出ローラ対１０１と用紙収容ユニット１０２とを備えて構成される。
【０００５】
排出ローラ対１０１は、送りローラ１０１Ａと押えローラ１０１Ｂとを有し、用紙処理装置の用紙排出部に設けられている。この排出ローラ対１０１は、用紙Ｓを略垂直に立てた姿勢で用紙収容ユニット１０２に向けて水平方向に送り出すようになっている。
【０００６】
用紙収容ユニット１０２は、用紙送り出し経路Ｌ１に対して横にオフセットした位置に設けられた、用紙Ｓを略垂直に立てた姿勢のままスタックするための用紙収容ポケット１０３と、用紙送出経路Ｌ１に対して斜めに交差するように設けられた用紙ガイド（傾斜壁）１０４とを有している。
【０００７】
そして、排出ローラ対１０１により、用紙送出経路Ｌ１上に直線的に送り出された用紙Ｓは、用紙ガイド１０４に当たりその傾斜面により用紙収容ポケット１０３に向けて誘導され、用紙収容ポケット１０３にスタックされる。
【発明の開示】
【発明が解決しようとする課題】
【０００８】
しかしながら、固定された用紙ガイド１０４を用紙送出経路Ｌ１上に配置するだけでは、折れた用紙や皺の寄った用紙が送られてきた場合に、用紙収容ポケット１０３に正常に収容できないことが考えられる。例えば、用紙Ｓが連続して排出され、前の用紙Ｓの後端が次に送られてくる用紙Ｓの進路にかかるような場合には、用紙Ｓの絡みや詰まりが発生したり、用紙Ｓの順番が入れ替わってしまい、正常にスタックできない恐れがある。特に、用紙Ｓが小切手である場合には、折れや皺のある可能性は低くないので、そのような懸念が大きい。
【０００９】
本発明の目的は、折れた用紙や皺の寄った用紙が送られてきた場合にも、順番を乱さずに確実にスタックできる用紙収容装置及び当該用紙収容装置を備えた用紙処理装置を提供することにある。
【課題を解決するための手段】
【００１０】
上記目的を達成するため、本発明の用紙収容装置は、用紙を搬送し排出するための第１排出ローラと、前記第１排出ローラによる用紙の排出方向からシフトした位置に前記用紙をスタックする用紙収容ポケットと、前記第１排出ローラによる用紙の排出方向に対して傾斜し、前記用紙を前記収容ポケットに向けて案内する第１位置と、前記用紙を前記用紙収容ポケットに向けて付勢する第２位置とに変位可能な第１ガイド部材とを有することを特徴とする。
【００１１】
上記構成によれば、第１排出ローラによって送り出された用紙の先端が第１位置にある第１ガイド部材に突き当たることによって、その用紙は用紙収容ポケットに向けて誘導され用紙収容ポケットにスタックされる。そして、例えば用紙の排出動作終了時に、第１ガイド部材を第１位置から第２位置に変位させることによって、用紙収容ポケットにスタックされた用紙の束を崩れないように確実に押さえ込むことができる。
【００１２】
また、本発明の用紙収容装置は、用紙を搬送し排出するための第１排出ローラと、前記第１排出ローラによる用紙の排出方向からシフトした位置に前記用紙をスタックする用紙収容ポケットと、前記第１排出ローラによる用紙の排出方向に対して傾斜し、前記用紙を前記収容ポケットに向けて案内する第１ガイド部材と、前記第１排出ローラと前記第１ガイド部材との間に位置する第２ガイド部材であって、前記第１排出ローラによる前記排出方向と交差する第３位置と、前記排出方向から前記収容ポケットが位置する側とは反対側に退避した第４位置とに変位可能な第２ガイド部材とを有することを特徴とする。ここで、第２ガイド部材は、搬送されてくる用紙の先端が当接することによりその用紙の腰によって第３位置から第４位置に変位して用紙の搬送を許すと共に、搬送が終わると第４位置から第３位置に変位してその排出された用紙の後端を収容ポケットに向けて付勢するよう構成される。
【００１３】
上記構成によれば、用紙の後端が第１排出ローラによって送り出される度に、第２ガイド部材を第４位置から第３位置に変位させることによって、用紙の後端部を用紙収容ポケットに向けて確実に誘導することができると共に、次の用紙の先端部が第１排出ローラによって送られてくる時には、その進路上に前の用紙の後端部が残っていることがないので、次の用紙の進行を邪魔するようなことがなくなる。従って、多少折れた用紙や皺の寄った用紙であっても、絡まったり詰まったりせずに、スムーズに用紙収容ポケットにスタックさせることができると共に、排出された順番を乱すことなく排出順どおりに用紙をスタックさせることができる。
【００１４】
また、本発明の用紙収容装置は、用紙を搬送し排出するための第１排出ローラと、前記第１排出ローラによる用紙の排出方向からシフトした位置に前記用紙をスタックする用紙収容ポケットと、前記第１排出ローラによる用紙の排出方向に対して傾斜し、前記用紙を前記収容ポケットに向けて案内する第１位置と、前記用紙を前記用紙収容ポケットに向けて付勢する第２位置とに変位可能な第１ガイド部材と、前記第１排出ローラと前記第１ガイド部材との間に位置する第２ガイド部材であって、前記第１排出ローラによる前記排出方向と交差する第３位置と、前記排出方向から前記収容ポケットが位置する側とは反対側に退避した第４位置とに変位可能な第２ガイド部材とを有することを特徴とする。
【００１５】
上記構成によれば、第１ガイド部材と第２ガイド部材とが協働することにより、排出される用紙をその順番どおりに、より確実に用紙収容ポケットにスタックすることができる。
【００１６】
これらの場合において、前記第１、第２ガイド部材は、リンク機構を用いて、前記第１排出ローラに対向配置された第１押付部材であって、前記用紙を前記第１排出ローラに押し付け可能な押付位置と、前記第１排出ローラから離れた退避位置とに変位可能な第１押付部材の位置に応じて、変位させることができる。すなわち、前記第１押付部材が前記押付位置にあるとき、前記第１ガイド部材を前記第１位置に、前記第２ガイド部材を前記第３位置に位置させ、前記第１押付部材が前記退避位置にあるとき、前記第１ガイド部材を前記第２位置に、前記第２ガイド部材を前記第４位置に位置させるリンク機構を設けることにより実現できる。
【００１７】
上記リンク機構は、前記第１ガイド部材を前記第２位置に向けて付勢する第１付勢部材と、前記第２ガイド部材を前記第３位置に向けて付勢する第２付勢部材と、前記第１ガイド部材に当接する第１アームと、前記第２ガイド部材に当接する第２アームと、第１、第２アームの間に設けられた回動中心とを有する第１レバー部材とを有し、前記第１レバー部材の第１方向への回動に伴って、前記第１ガイド部材は前記第１位置に、前記第２ガイド部材は前記第３位置に位置し、前記第１レバー部材の第１方向と反対の第２方向への回動に伴って、前記第１ガイド部材は前記第２位置に、前記第２ガイド部材は前記第４位置に位置するよう構成することができる。
【００１８】
また、上記リンク機構は、前記第１レバー部材の前記第２アームに当接する第３アームと、アクチュエータに連結される第４アームと、第３、第４アームの間に設けられた回動中心とを有する第２レバー部材を有し、前記第１押付部材は前記第３アームに支持され、前記アクチュエータの操作に応じて、(ｉ)前記第２レバーが第３方向に回動することにより、前記第１押付部材が前記押付位置に位置すると共に、前記第１レバー部材を前記第１方向に回動させ、(ii)前記第２レバーが前記第３方向と反対の第４方向に回動することにより、前記第１押付部材が前記退避位置に位置すると共に、前記第１レバー部材を前記第２方向に回動させるよう構成することができる。
【００１９】
これにより、第１ガイド部材の変位は、第１押付部材の変位に連動させることができるので、用紙の排出時には第１ガイド部材は第１位置に位置して用紙の先端部を用紙収容ポケットに向けて誘導し、用紙の排出後には第１ガイド部材は第１位置から第２位置に変位して用紙の後端部を用紙収容ポケットに誘導して保持することができる。
【００２０】
また、第２ガイド部材の変位は第１押付部材の変位に連動すると共に、用紙の排出動作に連動している。すなわち、その第３位置から第４位置への変位は、排出される用紙が当接することにより第２付勢部材の付勢力に抗して変位可能であるし、その第４位置から第３位置への変位は、用紙が排出されニップ力が作用しなくなることにより第２付勢部材の付勢力により変位可能である。
【００２１】
また、第１押付部材の開閉動作と第１、第２ガイド部材の変位動作とを連動させることにより、両機構の動力源を１つに集約できると共に、制御の簡素化を図ることができる。
【００２２】
また、用紙収容装置は、前記第１排出ローラの下流側に配置された第２排出ローラであって、その外周（回転周面）に複数の突起を備えた第２排出ローラを有することが望ましい。また、前記第１レバー部材の前記第２アームに設けられた第２押付部材であって、前記第１レバー部材の前記第１方向への回動により、前記第２排出ローラに対向配置される第２押付部材を有することが望ましい。さらに、前記第２押付部材は、前記第２排出ローラに対向配置されたとき、前記第２排出ローラの突起の両側部と重なるように形成された鍔部を有することが望ましい。
【００２３】
第２排出ローラの突起によって用紙の後端が押し出されるので、確実に用紙を送り出すことができる。そして、排出ローラから抜け出て自由になった用紙の後端部を、第２ガイド部材によって確実に用紙収容ポケット側へ移動させることができる。
【００２４】
また、上記用紙収容ポケットは、前記用紙の排出方向に略平行であって、互いに対向する第１、第２の側壁と、前記第１、第２の側壁を結合する底壁と、前記第１、第２の側壁の間に設けられた用紙支持部材であって、前記排出ローラ側に位置する第２側壁の側に付勢された用紙支持部材とを有することが望ましい。
【００２５】
これにより、収容ポケットにスタックされた用紙を、前記用紙支持部材と、前記第２側壁および前記第２位置に位置する前記第１ガイド部材とにより確実に挟持・保持することができ、用紙の順番が入れ替わってしまうといった不都合がない。
【００２６】
また、本発明の用紙処理装置は、上記の用紙収容装置を備えた用紙処理装置であって、  第１用紙を搬送するための第１搬送路と、第２用紙を搬送するための第２搬送路と、前記第２搬送路に沿って当該第２搬送路内に第２用紙を挿入可能な開口とを有し、前記第１排出ローラは、前記第１搬送路に沿って配置され、前記第１搬送路を搬送される前記第１用紙を排出し、前記第１搬送路と前記第２搬送路とは、前記第１排出ローラの近傍で、それらの一部が略垂直に重なり合い、前記第２用紙の前記開口からの挿入時には、前記第１押付部材を前記退避位置に位置させて、前記リンク機構により、前記第１ガイド部材を前記第２位置に、前記第２ガイド部材を前記第４位置に位置させることにより、前記第２用紙の挿入を阻害しないことを特徴とする。
【発明を実施するための最良の形態】
【００２７】
以下、添付図面に基づいて本発明の一実施形態に係る用紙収容装置を備えた用紙処理装置について説明する。
【００２８】
本実施形態の用紙処理装置Ｐは、主に小切手を処理するに適したものであって、図１及び図２に示すように、本体ユニット１の筐体１Ａ内に装備された、給紙装置２と、データ読取装置（スキャナ）３と、印刷装置４とを備えている。また、本体ユニット１の排出部の側壁に、用紙収容装置１０を備えている。
【００２９】
用紙収容装置１０は、本体ユニット１に着脱自在に取り付けられる排紙部ユニット１０Ａと、本体ユニット１側に設置されている排出ローラユニット２０とを備えて構成される。
【００３０】
この用紙処理装置Ｐでは、Ｕ字形にレイアウトされた第１搬送路５の入口部分に給紙装置２が配置され、第１搬送路５の中間部にデータ読取装置３が配置され、第１搬送路５の出口部分に印刷装置４が配置されている。
【００３１】
給紙装置２により送り出された小切手（第１用紙）Ｓ１は、立った姿勢のまま第１搬送路５に沿って搬送されながら、読取装置３により小切手Ｓ１上に記録されたデータが読み取られ、必要に応じて印刷装置４により裏書き等の印刷がなされる。処理が施された後の小切手Ｓ１は、排出ローラユニット２０によって排出され、排紙部ユニット１０Ａに収容される。排出ローラユニット２０は、小切手Ｓ１を垂直に立てた姿勢で水平方向に送り出し、排紙部ユニット１０Ａは、小切手Ｓ１を垂直に立てた姿勢のまま集積する。
【００３２】
図３に示すように、印刷装置４は、第１搬送路５とこの第１搬送路５に略垂直に交わる第２搬送路６とに隣接した印刷位置に配置された印刷ヘッド７０を備えている。ここで第２搬送路６は、外側ガイド７２ａと内側ガイド７２ｂとの間に形成されており、用紙処理装置Ｐの上面に形成された上部開口７から挿入されたバリデーション紙等の単票紙（第２用紙）Ｓ２が搬送される。単票紙Ｓ２の第２搬送路６内への挿入は、第２搬送路６の底部近傍に設置された用紙検出器７５によって検出される。
【００３３】
第２搬送路６の両側には、駆動ローラ７１ａと押付ローラ７１ｂとが対向配置されており、単票紙Ｓ２を上下（垂直）方向に搬送可能である。駆動ローラ７１ａは、後述するプラテン７３及びテンションローラ８３の下方に配置されている。押付ローラ７１ｂは、アクチュエータによって、駆動ローラ７１ａに当接可能な搬送位置と駆動ローラ７１ａから離れた退避位置とに移動可能であって、小切手Ｓ１が第１搬送路５に沿って搬送されるときや、単票紙Ｓ２が上部開口７から挿入されるときには、退避位置に位置している。
【００３４】
単票紙Ｓ２が上部開口７から第２搬送路６に挿入され用紙検出器７５により検知されると、押付ローラ７１ｂを退避位置から搬送位置へ移動させて駆動ローラ７１ａとの間で単票紙Ｓ２を挟持し、駆動ローラ７１ａを回転させて単票紙Ｓ２を上方（上部開口７側）へ搬送する。そして、印刷ヘッド７０により、単票紙Ｓ２上に印刷がなされ、上部開口７から排出される。
【００３５】
また、印刷装置４は、ロール紙Ｒを垂直方向に搬送する駆動ローラ８１と、駆動ローラ８１に対してロール紙Ｒを押し付ける押付けローラ８２と、ロール紙Ｒに所定のテンションを加えるテンションローラ８３とを備えたロール紙搬送機構を備えている。ロール紙Ｒの搬送路は、第２搬送路６と一部重複しており、その搬送方向は、第２搬送路６と同様に第１搬送路５と略直交している。ロール紙収納部９に収納されたロール紙Ｒは、ロール紙搬送路に沿って搬送されながら印刷ヘッド７０により印刷がなされ、ロール紙排出口８から排出される。
【００３６】
図４〜図６に示すように、排紙部ユニット１０Ａのフレーム１１上には、排出ローラユニット２０による用紙送り出し経路（方向）Ｌ２に対して水平方向にオフセットした位置に小切手収容ポケット（用紙収容ポケット）１２が設けられている。この小切手収容ポケット１２は、排出ローラユニット２０により順次送り出されてくる小切手Ｓ１を略垂直に立てた姿勢のままスタックするためのものであり、底面を形成する底板１２Ａ（底壁）と、側面を形成する２つの立壁１２Ｂ，１２Ｃとを有して構成されている。
【００３７】
尚、この小切手収容ポケット１２内には、その下部が回動可能に支持され不図示のねじりコイルばね（弾性体）により立壁１２Ｃ（第１側壁）側から立壁１２Ｂ（第２側壁）側に付勢された押圧部材１５（用紙支持部材）が設けられており、小切手収容ポケット１２内の小切手Ｓ１の収容量変化に応じて進退動可能とされている。
【００３８】
両立壁１２Ｂ，１２Ｃは、用紙送出経路Ｌ２と平行に設けられており、一方の立壁１２Ｂは用紙送出経路Ｌ２に近い位置に配置され、他方の立壁１２Ｃは用紙送出経路Ｌ２から遠い位置に配置されている。ここで、用紙送出経路Ｌ２に近い位置にある立壁１２Ｂは、後述する用紙ガイド６０から搬送方向下流側のみが存在し、排出ローラユニット２０に近い部分は切り欠かれている。即ち、排出ローラユニット２０の排出部からある距離をおいた位置に用紙ガイド６０が配置されており、その搬送方向下流側だけに立壁１２Ｂが設けられている。また、立壁１２Ｃは、排出ローラユニット２０の排出部とほぼ同じ位置から設けられている。
【００３９】
排紙部ユニット１０Ａのフレーム１１の一端側には４つのフック１１Ｆが設けられており、これら４つのフック１１Ｆを本体ユニット１側の係合穴（図示せず）に係合させることにより、排紙部ユニット１０Ａが本体ユニット１に取り付けられる。排紙部ユニット１０Ａが本体ユニット１に取り付けられると、排紙部ユニット１０Ａの機構部分が、本体ユニット１側に設けられた排出ローラユニット２０と組み合わされる。
【００４０】
排出ローラユニット２０には、第１排出ローラ２１と第２排出ローラ２２とが設けられている。これら第１排出ローラ２１及び第２排出ローラ２２は、本体ユニット１の他の機構の動きと関連づけられて、用紙送り方向に同期回転するよう構成されている。
【００４１】
第２排出ローラ２２は、第１排出ローラ２１よりも搬送方向下流側に配置されており、後述するように、小切手Ｓ１の後端を回転周面上の突起２２ａで押し出すことにより、小切手Ｓ１の送り出しを行うようになっている。
【００４２】
また、排出ローラユニット２０には、第１排出ローラ２１に対向する押えローラ２３（第１押付部材）が設けられている。この押えローラ２３は、第１排出ローラ２１との間で小切手Ｓ１を挟むものであり、第１押さえレバー２４（第２レバー部材）に回転自在に軸支されている。
【００４３】
第１押さえレバー２４は、２つのアーム２４ｂ，２４ｃを有する平面視略Ｌ字形をなしており、曲がり部２４ａに配した支軸２５により、本体ユニット１のフレームに水平面内で揺動可能に取り付けられている。曲がり部２４ａから互いに直交する方向に延びる第１アーム２４ｂ及び第２アーム２４ｃの内、第１アーム２４ｂは、揺動端が搬送方向下流側に向けて用紙送出経路Ｌ２と略平行に配されており、第２アーム２４ｃは、揺動端が用紙送出経路Ｌ２と略直交する方向に向けて配されている。
【００４４】
そして、第１アーム２４ｂの途中には押えローラ２３が回転可能に配置され、第２アーム２４ｃの途中には当該第１押えレバー２４を駆動するソレノイド２６（アクチュエータ）の可動端が連結され、第２アーム２４ｃの先端には第１押えレバー２４を押えローラ２３が第１排出ローラ２１に当接する方向に回動付勢する第１バネ２７が係止されている。
【００４５】
この構造により、通常時は、第１バネ２７のバネ力で第１押えレバー２４を回動付勢することにより、押えローラ２３を第１排出ローラ２１に圧接させている。また、ソレノイド２６に通電して作動させ、第１バネ２７のバネ力に抗して第１押えレバー２４を反対方向に回動させることにより、押えローラ２３を第１排出ローラ２１から離間させることができる。
【００４６】
尚、前者の「第１バネ２７のバネ力で押えローラ２３を第１排出ローラ２１に圧接させた状態」が、「用紙送出経路Ｌ２への小切手Ｓ１の排出動作を可能にする搬送可能状態」であり、また、後者の「ソレノイド２６の駆動力で押えローラ２３を第１排出ローラ２１から離間させた状態」が、「排出ローラユニット２０に対して上方から自由に単票紙Ｓ２を挿抜できる開放状態」である。
【００４７】
更に、以下の説明では、第１排出ローラ２１と押えローラ２３に関して、前者の状態を「閉状態（または閉位置）」、後者の状態を「開放状態（または開放位置）」と言うこともある。
【００４８】
即ち、ソレノイド２６と、該ソレノイド２６の駆動力を押えローラ２３に伝える第１押えレバー２４とが、排出ローラユニット２０と後述する用紙シフトレバー４０とを、小切手Ｓ１の排出動作を可能にする搬送可能状態から、単票紙Ｓ２を挿抜できる開放状態に切り換える開放機構２８を構成している。
【００４９】
上記開放状態では、第１排出ローラ２１と押えローラ２３は互いに離間しているので、両ローラ２１，２３間に小切手Ｓ１が位置していても、小切手Ｓ１に対する拘束力は発生しない。
【００５０】
図７及び図８に示すように、排紙部ユニット１０Ａには、用紙ガイド６０（第１ガイド部材）と排出ローラユニット２０の間に配置されて、第２排出ローラ２２と協働する第２押えレバー３０（第１レバー部材）と、小切手Ｓ１の後端部を用紙収容ポケット１２側に押圧付勢可能な用紙シフトレバー４０（第２ガイド部材）とが配置されている。これらの第２押えレバー３０及び用紙シフトレバー４０は、外装ケース１３で囲まれたスペースに収容されており、いずれも水平面内で回動可能に軸支されている。
【００５１】
更に、用紙収容ポケット１２の立壁１２Ｂと外装ケース１３との境界部には、横幅（第１搬送路方向に沿った長さ）の長い単票紙Ｓ２を上部開口７から第２搬送路６に挿入することができるように、用紙送出経路Ｌ２上に位置する切欠部１４（図５参照）が設けられている。
【００５２】
第２押えレバー３０は、第１及び第２のアーム３０ａ，３０ｂ（ただし、請求項での第１アームは３０ｂ、請求項での第２アームは３０ａである）を有する平面視略Ｖ字形に形成されており、曲がり部３０ｃに配した支軸３３によって、排紙部ユニット１０Ａのフレーム１１上に、水平面内で揺動可能に取り付けられている。
【００５３】
第１アーム３０ａは、第２排出ローラ２２に向けて延びており、その揺動端には第２排出ローラ２２に対して小切手Ｓ１を押圧付勢するための用紙押え部３１（第２押付部材）が設けられている。又、第２アーム３０ｂは、用紙ガイド６０を回動させるために用紙ガイド６０の揺動レバー６１と係合可能に延びている。
【００５４】
更に、図７に示すように、第１アーム３０ａは、小切手Ｓ１の搬送高さ方向に所定幅を有する矩形ブロック状に形成されて、用紙送出経路Ｌ２上の小切手Ｓ１と対峙可能に配置されているが、第２アーム３０ｂは、小切手Ｓ１と干渉しない薄板状に形成されて、用紙収容ポケット１２の底板１２Ａの下側に配置されている。
【００５５】
用紙シフトレバー４０は、平面視略Ｌ字形に形成されており、第２排出ローラ２２とほぼ対向する位置に配した支軸４１によって排紙部ユニット１０Ａのフレーム１１上に水平面内で回動可能に取り付けられており、揺動先端４０ａが用紙送出経路Ｌ２を遮って小切手収容ポケット１２側に突出したり、用紙送出経路Ｌ２から退避したりできるようになっている。
【００５６】
第２押えレバー３０と用紙シフトレバー４０には、それぞれ互いに係合する係合部３４と係合ピン４３とが設けられている。これら係合ピン４３及び係合部３４は、第２押えレバー３０が閉位置（用紙押え部３１が第２排出ローラ２２に近接する位置）にあるとき、用紙シフトレバー４０の第２排出ローラ２２側への回動範囲を規制する機能を果たすと共に、第２押えレバー３０が開放位置（用紙押え部３１が第２排出ローラ２２から離れる位置）に回動するとき、用紙シフトレバー４０を開放位置（図１０及び図１１に示すように、揺動先端４０ａが用紙送出経路Ｌ２上から退避した位置）に移動させる機能を果たす。
【００５７】
用紙シフトレバー４０の支軸４１の近傍には、バネ係止部４２が設けられており、該バネ係止部４２とフレーム１１との間に介装された第２バネ４４（第２付勢部材）によって、用紙シフトレバー４０の揺動先端４０ａが用紙送出経路Ｌ２を遮って用紙収容ポケット１２側に突出する方向に回動付勢されている。
【００５８】
尚、用紙シフトレバー４０を用紙収容ポケットに向けて押圧付勢する弾性付勢手段としての第２バネ４４のバネ力は、排出ローラユニット２０の第１排出ローラ２１と押えローラ２３とで挟持されながら送り出されてくる小切手Ｓ１の先端によって、用紙シフトレバー４０が押された際には、揺動先端４０ａが用紙送出経路Ｌ２上から退避する方向に該用紙シフトレバー４０が回動できる程度の強さに設定されている。
【００５９】
従って、用紙シフトレバー４０は、排出ローラユニット２０から小切手Ｓ１が送り出されてくる時には、送り出されてくる小切手Ｓ１の先端により押されることで、第２バネ４４のバネ力に抗して小切手Ｓ１の送り出しを許容する位置に退避し、排出ローラユニット２０から小切手Ｓ１の後端が抜けた時には、排出ローラユニット２０による支持力を失った小切手Ｓ１の後端を、第２バネ４４のバネ力で用紙収容ポケット１２に向けて押圧付勢する。
【００６０】
また、第１バネ２７により回動付勢されている第１押えレバー２４における第１アーム２４ｂの先端２４ｄは、第２押えレバー３０における第１アーム３０ａの背面受部３２を押圧付勢している。
【００６１】
これにより、第１バネ２７のバネ力が、第１押えレバー２４を介して第２押えレバー３０に伝わり、その力によって第２押えレバー３０が閉位置に向けて回動付勢される。これら第１バネ２７及び第２バネ４４によって付与される第１押えレバー２４、第２押えレバー３０及び用紙シフトレバー４０のそれぞれの回動付勢方向を、図８に矢印Ｙ１，Ｙ２，Ｙ３で示す。
【００６２】
一方、用紙ガイド６０は、図５に示すように、排出ローラユニット２０による小切手Ｓ１の用紙送出経路Ｌ２に対し斜めに交差するガイド位置と、図１２に示すように、小切手Ｓ１の用紙送出経路Ｌ２に対して交差しない開放位置との間で移動できるように設けられている。尚、本実施形態においては、用紙ガイド６０の開放位置は、用紙収容ポケット１２にスタックされた小切手Ｓ１を押えることのできる押え位置に設定されている。
【００６３】
用紙ガイド６０は、図８に示すように、底板１２Ａの下側に配された揺動レバー６１の揺動端側に立設されており、揺動レバー６１が支軸６２によりフレーム１１に水平面内で回動可能に取り付けられることによって、上述したガイド位置と開放位置（押え位置）との間で移動可能に支持されている。尚、揺動レバー６１の回動範囲を的確に規制するため、揺動レバー６１の円弧溝６３にスライド係合するピン６４がフレーム１１に突設されている。
【００６４】
この用紙ガイド６０は、ガイド位置に移動したときには、用紙送出経路Ｌ２に対して斜めに交差した姿勢となり、排出ローラユニット２０から送り出されてくる小切手Ｓ１の先端が突き当たることで、該小切手Ｓ１を用紙収容ポケット１２に向けて誘導する役目を果たす。
【００６５】
また、小切手Ｓ１の排出動作終了時に、ガイド位置から開放位置まで回動することにより、用紙収容ポケット１２にスタックされた小切手Ｓ１を立壁１２Ｃ（押圧部材１５）側に押え付ける役目を果たす。
【００６６】
この用紙ガイド６０を駆動するために、揺動レバー６１とフレーム１１との間には用紙ガイド移動機構を構成する第３バネ６５（第１付勢部材）が介装されている。この第３バネ６５は、図８の矢印Ｙ４方向、つまり用紙ガイド６０をガイド位置から開放位置に変位させる方向に揺動レバー６１を回動付勢しており、第２押えレバー３０における第２アーム３０ｂの先端が揺動レバー６１の係合部６６に係合することにより、該揺動レバー６１を第３バネ６５のバネ力に抗して小切手ガイド位置に押し戻している。従って、第２押えレバー３０の回動位置によって、用紙ガイド６０の位置が切り替わるように構成されている。
【００６７】
このような用紙収容装置１０の構成により、ソレノイド２６に通電して作動させ、第１押えレバー２４を反時計回り（反Ｙ１方向）に回転させると、第２押えレバー３０が揺動レバー６１を介して第３バネ６５のバネ力を受けることで時計回り（反Ｙ２方向）に回転し、回転した第２押えレバー３０の係合部３４が係合ピン４３を介して用紙シフトレバー４０を反時計回り（反Ｙ３方向）に回動付勢する。
【００６８】
そして、この用紙収容装置１０の動作により、図１２及び図１３に示すように、第１排出ローラ２１から押えローラ２３が離れ、第２排出ローラ２２から用紙押え部３１が離れると共に、用紙シフトレバー４０の揺動先端４０ａが用紙送出経路Ｌ２から退避し、同時に、用紙ガイド６０がガイド位置から開放位置に移動することによって、切欠部１４が開放されるので、用紙送出経路Ｌ２が直線状に開放された開放状態となる。
【００６９】
次に、用紙押え部３１と第２排出ローラ２２の動作について、図１５を参照して説明する。
【００７０】
図１５（ａ）に示すように、第２排出ローラ２２の回転周面には、周方向に所定間隔をあけて複数のリブ突起２２ａが設けられている。一方、図１５（ｂ）に示すように、用紙押え部３１の先端には、上下に離間させた一対の押え壁３１ａ，３１ｂが突設されており、用紙押え部３１が用紙押え位置にあるとき（第２押えレバー３０が閉位置にあるとき）には、その上下の押え壁３１ａ，３１ｂの間に第２排出ローラ２２のリブ突起２２ａが入り込むようになっている。上下の押え壁３１ａ，３１ｂの先端とリブ突起２２ａの先端とで小切手Ｓ１を挟持することにより、図１５（ｂ）に示したように、小切手Ｓ１を屈曲させた状態で押え付けながら搬送することができる。
【００７１】
小切手Ｓ１の後端がこの挟持部に達し、リブ突起２２ａによる挟持力が解除されると、小切手Ｓ１は真っ直ぐな状態に復帰する。そして、図１５（ａ）に示すように、小切手Ｓ１の後端縁がリブ突起２２ａの側面に対向して引っ掛かることにより、小切手Ｓ１は、摩擦力によってではなく、回転するリブ突起２２ａによってその後端縁が直接押し出され送出される。
【００７２】
以下、用紙収容装置１０の作用を説明する。
【００７３】
図５に示すように、排出ローラユニット２０から小切手Ｓ１が送り出されてくると、その小切手Ｓ１の先端が用紙シフトレバー４０の側面に当接する。
【００７４】
すると、図９に示すように、小切手Ｓ１の先端に押された用紙シフトレバー４０が、第２バネ４４のバネ力に抗して図中反時計回りに回動し、小切手Ｓ１の送り出しを許容する位置に退避する。
【００７５】
このように、用紙シフトレバー４０が排出ローラユニット２０の排出側において用紙送出経路Ｌ２上にあるにも係わらず、排出ローラユニット２０は支障なくスムーズに小切手Ｓ１の送り出しを行うことができる。
【００７６】
そして、図１０に示すように、用紙送出経路Ｌ２に対して斜めに交差した姿勢の用紙ガイド６０に小切手Ｓ１の先端が突き当たり、小切手Ｓ１は用紙送出経路Ｌ２からオフセットされた位置にある用紙収容ポケット１２に向けて誘導される。
【００７７】
更に、排出ローラユニット２０によって送り出された小切手Ｓ１の後端が、該排出ローラユニット２０から抜け出た時には、排出ローラユニット２０による支持力（ニップ力）が作用しなくなるので、第２バネ４４のバネ力によって用紙シフトレバー４０が図中時計回りに回動して、小切手Ｓ１の後端を用紙収容ポケット１２に向けて押圧付勢する。この際、小切手Ｓ１の後端は、第２排出ローラ２２のリブ突起２２ａによって押し出されるので、確実に排出ローラユニット２０から抜け出る位置まで送り出された後、用紙シフトレバー４０の揺動先端４０ａにより用紙収容ポケット１２側へ押圧付勢される。
【００７８】
この用紙シフトレバー４０による押圧付勢は、排出ローラユニット２０による小切手Ｓ１の送り出しのたびに繰り返されるので、排出ローラユニット２０から次の小切手Ｓ１の先端が送られてくるときには、その進路上に前の小切手Ｓ１の後端が残っていて次の小切手Ｓ１の進行の邪魔をするようなことがない。
【００７９】
従って、多少折れたり皺の寄った小切手であっても、絡まったり詰まったりせずに、スムーズに用紙収容ポケット１２に集積させることができ、さらには小切手の順番が入れ替わったりすることもなくなる。
【００８０】
また、小切手Ｓ１の排出動作終了時には、図１２及び図１３に示すように、ソレノイド２６に通電して作動させることにより、第１押えレバー２４を図中反時計回りに回動させて、排出ローラユニット２０を開放状態にする。
【００８１】
すると、第２押えレバー３０が揺動レバー６１を介して第３バネ６５のバネ力を受けることで時計回りに回転し、回転した第２押えレバー３０の係合部３４が係合ピン４３を介して用紙シフトレバー４０を反時計回り方向に回動付勢するので、該用紙シフトレバー４０も退避位置に移動する。また、揺動レバー６１が第３バネ６５のバネ力で反時計回りに回動付勢されることにより、用紙ガイド６０も小切手ガイド位置から開放位置に移動する。従って、用紙収容ポケット１２に集められた小切手Ｓ１の束は、押圧部材１５、用紙ガイド６０、立壁１２Ｂによって崩れないように確実に押え込まれる。
【００８２】
また、排出ローラユニット２０、用紙シフトレバー４０、用紙ガイド６０を開放状態に切り換えることによって、幅広の単票紙Ｓ２を上部開口７から第２搬送路６に挿入する際に、排出ローラユニット２０や用紙シフトレバー４０、用紙ガイド６０が単票紙Ｓ２に干渉することがない。
【００８３】
また、排出ローラユニット２０及び用紙シフトレバー４０を開放状態に切り換える開放機構２８の動作と、用紙ガイド６０の移動動作とを連動させるように構成したので、本体ユニット１側にソレノイド２６を１個配置するだけで、全ての部材（２４，３０，４０，６０）の切換操作を行うことができる。
【００８４】
以上、本発明の一実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。
【００８５】
例えば、上記実施形態においては、第２排出ローラ２２に対して小切手Ｓ１を押圧付勢する為に、第２押えレバー３０の第１アーム３０ａの揺動端に用紙押え部３１を設けたが、本発明はこれに限定されるものではなく、図１６に示すような用紙押えローラ３５を第２押えレバー３０の第１アーム３０ａの揺動端に回転自在に設けてもよい。
【００８６】
用紙押えローラ３５は、円筒状ローラの両側部に一対のフランジ部３５ａ，３５ｂが形成されており、用紙押えローラ３５が用紙押え位置にあるとき（第２押えレバー３０が閉位置にあるとき）には、その一対のフランジ部３５ａ，３５ｂの間に第２排出ローラ２２のリブ突起２２ａが入り込むようになっている。一対のフランジ部３５ａ，３５ｂの先端とリブ突起２２ａの先端とで小切手Ｓ１を挟持することにより、図１６（ｂ）に想像線で示したように、小切手Ｓ１を屈曲させた状態で押え付けながら搬送することができる。
【００８７】
小切手Ｓ１の後端がこの挟持部に達し、リブ突起２２ａによる挟持力が解除されると、小切手Ｓ１は湾曲した状態から真っ直ぐな状態に復帰する。そして、図１６（ａ）に示すように、小切手Ｓ１の後端縁がリブ突起２２ａの側面に対向して引っ掛かることにより、小切手Ｓ１は、摩擦力によってではなく、回転するリブ突起２２ａによってその後端縁が直接押し出され搬送される。
【００８８】
このように、回転自在な用紙押えローラ３５によって第２排出ローラ２２に対して小切手Ｓ１を押圧付勢することにより、用紙押え部３１によって小切手Ｓ１を押圧付勢する場合に比して、小切手Ｓ１との間に発生する摺動摩擦による搬送力の損失を減少でき、より小さな回転駆動力でも小切手Ｓ１の搬送を安定させることが可能となる。
【００８９】
また、上記実施形態における用紙収容装置１０においては、用紙ガイド位置と用紙押え位置との間で用紙ガイド６０を移動可能とする用紙ガイド移動機構と、用紙シフトレバー４０とを同時に設けて連動させた場合について説明したが、本発明はこれに限定されるものではなく、これら用紙ガイド移動機構または用紙シフトレバーの何れかのみを備える構成にすることも可能である。
【００９０】
また、上記実施形態においては、用紙収容装置１０を、データ読取装置３及び印刷装置４が配置された用紙処理装置Ｐに取り付けたが、ファクシミリやコピー機など種々の用紙処理装置に取り付けることも可能である。
【図面の簡単な説明】
【００９１】
【図１】本発明の一実施形態に係る用紙収容装置を備えた用紙処理装置の全体斜視図である。
【図２】用紙処理装置における各要素の概略的な平面レイアウト図である。
【図３】用紙処理装置が備える印刷装置の構成を示す概略断面図である。
【図４】用紙収容装置の構成を示す斜視図である。
【図５】用紙が排紙部ユニット内に搬送された状態を示す用紙収容装置の平面図である。
【図６】用紙収容装置の内部構造を示す平面図である。
【図７】用紙収容装置の要部拡大斜視図である。
【図８】用紙収容装置の要部拡大平面図である。
【図９】用紙が用紙ガイドに当接した状態を示す用紙収容装置の平面図である。
【図１０】用紙収容装置の内部構造を示す平面図である。
【図１１】図９に示した用紙収容装置の要部拡大平面図である。
【図１２】用紙が収容ポケットに収容された状態を示す用紙収容装置の平面図である。
【図１３】用紙収容装置の内部構造を示す平面図である。
【図１４】用紙収容装置の要部拡大平面図である。
【図１５】（ａ）は用紙収容装置における第２排出ローラと用紙押え部との関係を示す平面図、（ｂ）は用紙収容装置における第２排出ローラと用紙押え部との関係を示すＢ−Ｂ断面矢視図である。
【図１６】（ａ）は用紙収容装置の他の実施形態における第２排出ローラと用紙押え部との関係を示す平面図、（ｂ）は用紙収容装置の他の実施形態における第２排出ローラと用紙押え部との関係を示す側面図である。
【図１７】従来において考えられる用紙収容装置の平面図である。
【符号の説明】
【００９２】
５・・第１搬送路、６・・第２搬送路、７・・上部開口、１０・・用紙収容装置、１２・・小切手収容ポケット、１２Ａ・・底板、１２Ｂ，１２Ｃ・・立壁、１５・・押圧部材、２１・・第１排出ローラ、２２・・第２排出ローラ、２２ａ・・リブ突起、２３・・押えローラ、２４・・第１押えレバー、２４ｂ・・第１アーム、２４ｃ・・第２アーム、２５・・支軸、２６・・ソレノイド、３０・・第２押えレバー、３０ａ・・第１アーム、３０ｂ・・第２アーム、３０ｃ・・曲がり部、３１・・用紙押え部、３１ａ，３１ｂ・・押え壁、４０・・用紙シフトレバー、４４・・第２バネ、６０・・用紙ガイド、６５・・第３バネ、Ｓ１・・小切手、Ｓ２・・単票紙、Ｌ２・・用紙送り出し経路。
【図１】
0004792728.tif 000002
【図２】
0004792728.tif 000003
【図３】
0004792728.tif 000004
【図４】
0004792728.tif 000005
【図５】
0004792728.tif 000006
【図６】
0004792728.tif 000007
【図７】
0004792728.tif 000008
【図８】
0004792728.tif 000009
【図９】
0004792728.tif 000010
【図１０】
0004792728.tif 000011
【図１１】
0004792728.tif 000012
【図１２】
0004792728.tif 000013
【図１３】
0004792728.tif 000014
【図１４】
0004792728.tif 000015
【図１５】
0004792728.tif 000016
【図１６】
0004792728.tif 000017
【図１７】
0004792728.tif 000018